(57)【要約】【課題】ユニット躯体まわりの家具の配置自由度の低下を招くことがなく、格段に実用利便性に優れたサニタリーユニットを提供する。【解決手段】調理台１４を、ユニット躯体１の内部に設けた共有空間２３と、周囲壁４に開口した開口部２８との間に配置する。これによれば、共有空間２３からだけでなく、開口部２８を介してユニット躯体１外からも調理台１４へのアクセスが可能となるので、所謂対面式のキッチンのように調理台１４を使用することができる。また、ユニット躯体１の開口部２８に隣接してベッドや本棚等の家具の配置を望む場合、あるいは開口部２８に隣接して家具を配置せざるを得ない場合であっても、共有空間２３から調理台１４へのアクセス経路が確保されているため、支障なく調理台１４を使用することが可能である。【選択図】図１
2011074587.tif 000002
【特許請求の範囲】
【請求項１】
周囲壁（４）で囲まれたユニット躯体の空間内に、調理台（１４）を含む複数の水回り設備が収容されているサニタリーユニットであって、
周囲壁（４）には出入り口（５）が設けられており、該出入り口（５）に連通する共有空間（２３）を囲むように、全ての水回り設備が配置されており、
周囲壁（４）には開口部（２８）が開設されており、該開口部（２８）と共有空間（２３）との間に調理台（１４）が配置されていることを特徴とするサニタリーユニット。
【請求項２】
共用空間（２３）を含むユニット躯体の床面（２５）と、サニタリーユニットが設置される部屋の床面（Ｆ）とが面一とされている請求項１記載のサニタリーユニット。
【請求項３】
調理台（２４）が、ユニット躯体内に設けられた柱状のベース部（２０）により、下方に空間を有する片持ち状に支持されており、
ベース部（２０）の開口部（２８）の開口縁に臨むコーナー部が、開口部（２８）の開口縁と同位置、あるいは開口部（２８）の開口縁よりもユニット躯体内側に設けられている請求項１又は２記載のサニタリーユニット。
【発明の詳細な説明】
【技術分野】
【０００１】
本発明は、調理台を含む複数の水回り設備が集約配置されたサニタリーユニットに関する。本発明に係るサニタリーユニットは、主として、ワンルームマンションに使用される。
【背景技術】
【０００２】
この種のサニタリーユニットとして、例えば特許文献１には、浴槽、便器、洗面台および調理台を一まとめにしたユニットが開示されている。かかる特許文献１に記載のサニタリーユニットは、四方を壁に囲まれたユニット躯体の内部に、浴槽が収容された浴室と、便器が収容された便所と、洗面台が収容された洗面室とを備える。調理台は、ユニット躯体の外壁面に沿って配置されている。同種のサニタリーユニットは、特許文献２や特許文献３にも公知である。
【先行技術文献】
【特許文献】
【０００３】
【特許文献１】登録実用新案第３０３８１９５号公報
【特許文献２】実用新案登録第２５８６５３９号公報
【特許文献３】実用新案登録第２５２９８３２号公報
【発明の概要】
【発明が解決しようとする課題】
【０００４】
特許文献１〜３のように、調理台がユニット躯体の外壁面に沿って配置されたサニタリーユニットでは、調理台を使用するためのスペース、すなわち、ユーザーが調理台を使用するための調理スペースと、該調理スペースに近付くためのアクセススペースを室内に確保することが必須となり、ユニット躯体まわりの家具の配置自由度が低下することが避けられず、実用利便性に欠ける。かかる不都合は、例えば、調理台をユニット躯体の閉鎖空間内に配置すれば解決できるが、この場合にはユニット躯体外から調理台へのアクセスが全く不可能となり、ユーザーの使用スタイルに対応することが困難となり、実用利便性に欠ける。
【０００５】
本発明の目的は、ユニット躯体まわりの家具の配置自由度の低下を招くことがなく、格段に実用利便性に優れたサニタリーユニットを提供することにある。
【課題を解決するための手段】
【０００６】
本発明に係るサニタリーユニットは、周囲壁４で囲まれたユニット躯体の空間内に、調理台１４を含む複数の水回り設備が収容されているサニタリーユニットを対象とする。周囲壁４には出入り口５が設け、該出入り口５に連通する共有空間２３を囲むように、全ての水回り設備が配置する。そして、周囲壁４には開口部２８が開設し、該開口部２８と共有空間２３との間に調理台１４が配置することを特徴とする。
【０００７】
共用空間２３を含むユニット躯体１の床面２５と、サニタリーユニットが設置される部屋の床面Ｆとを面一とする。
【０００８】
調理台２４を、ユニット躯体内に設けられた柱状のベース部２０により、下方に空間を有する片持ち状に支持する。ベース部２０の開口部２８の開口縁に臨むコーナー部を、開口部２８の開口縁と同位置、あるいは開口部２８の開口縁よりもユニット躯体内側に設ける。
【発明の効果】
【０００９】
本発明では調理台１４を、ユニット躯体１の内部に設けた共有空間２３と、周囲壁４に開口した開口部２８との間に配置した。これによれば、共有空間２３からだけでなく、開口部２８を介してユニット躯体１外からも調理台１４へのアクセスが可能となる。換言すれば、共有空間２３からのアクセス経路と、開口部２８を介したユニット躯体１外からのアクセス経路という、二つの調理台１４へのアクセス経路を確保することができる。
【００１０】
したがって、本発明によれば、特許文献１のように、旧来の調理台がユニット躯体の外壁面に沿って配置されたサニタリーユニットに比べて、格段に実用利便性に優れたサニタリーユニットを実現することができる。すなわち、共有空間２３から調理台１４にアクセスできるとともに、開口部２８を介してユニット躯体１外からも調理台１４へのアクセスが可能であるから、所謂対面式のキッチンのように調理台１４を使用することができる。また、ユニット躯体１の開口部２８に隣接してベッドや本棚等の家具の配置を望む場合、あるいは開口部２８に隣接して家具を配置せざるを得ない場合であっても、共有空間２３から調理台１４へのアクセス経路が確保されているため、支障なく調理台１４を使用することが可能である。また、旧来の調理台がユニット躯体の外壁面に沿って配置されたサニタリーユニットのように、調理スペースや調理台へのアクセススペースを室内に確保することが必ずしも必須でなく、ユーザーの生活スタイルに合わせて家具を配置することが可能であり、家具の配置自由度の低下という問題も生じない。
【００１１】
本願発明は、特にワンルームマンションの部屋内に組み付けられるサニタリーユニットとして使用した場合に、特に有用なものとなる。すなわち、ユニット躯体１を除くワンルームマンションの室内に家具を配置する場合には、調理スペースや調理台へのアクセススペースを確保することが困難な場合もある。したがって、共有空間を介したアクセス経路を備える本願発明は、旧来の特許文献に示すようなサニタリーユニットに比べて家具の配置自由度が高く、格段に実用利便性に優れている。また、ワンルームマンションであっても、所謂対面型キッチンのような調理台１４の使用を望む場合もある。以上のように、ユーザーのライフスタイル等に合わせた使用形態を実現し得る本願発明のサニタリーユニットは、ワンルームマンションの賃貸契約や購入の訴求効果の向上に大いに貢献し得るものである。
【００１２】
開口部２８を開閉する開閉体２９を設けることができる。これによれば、揚げ物や匂いの強い食材を調理するときには開口部２８を閉じることにより、開口部２８を介して油が部屋の床面Ｆに飛び散ったり、部屋に匂いが広がるのを確実に防止することができる。
【００１３】
ユニット躯体１の床面２５と、サニタリーユニットが設置される部屋の床面Ｆとの間に段差があると、特に、ユニット躯体１外から調理台１４にアクセスした際に、段差でつまづくおそれがある。また、足裏全体が床面２５・Ｆに接しない不安定な状態で調理を強いることとなり、調理が困難となるおそれもある。これに対して、本願発明のように、共用空間２３を含むユニット躯体１の床面２５と、サニタリーユニットが設置される部屋の床面Ｆとを面一としていると、ユニット躯体１外から調理を行う場合にも、床面２５・Ｆに足裏全体を付けた状態で調理を行うことができるため、格段に調理台１４の利便性が向上する。段差に起因する事故が発生するおそれもなく、安全性に優れたサニタリーユニットを実現できる。
【００１４】
調理台２４を、ユニット躯体内に設けられた柱状のベース部２０により、下方に空間を有する片持ち状に支持し、ベース部２０の開口部２８の開口縁に臨むコーナー部を、開口部２８の開口縁と同位置、あるいは開口部２８の開口縁よりもユニット躯体内側に設けると、調理台１４の下方位置を開放状態とすることができる。したがって、ユーザーがベース部２０に足をぶつけたり、引っ掛けることを確実に防ぐことができる。
【図面の簡単な説明】
【００１５】
【図１】サニタリーユニットの横断平面図である。
【図２】サニタリーユニットの斜視図である。
【図３】サニタリーユニットを設置した部屋の横断平面図である。
【図４】サニタリーユニットの正面図である。
【図５】図４のＡ−Ａ線断面図である。
【図６】図４のＢ−Ｂ線断面図である。
【図７】サニタリーユニットの給排水管構造を示す概略平面図である。
【発明を実施するための形態】
【００１６】
図１ないし図７は、本発明に係るサニタリーユニットの実施形態を示す。図２および図３においてサニタリーユニットは、全体が直方体状に形成されて、ワンルームマンションなどの部屋の中に設置される。図１および図４においてサニタリーユニットは、前後左右を囲む周囲壁４を主体とするユニット躯体１と、ユニット躯体１の上側に配置される機器室２と、ユニット躯体１の下側に配置される配管室３とを備える。なお、以下の説明においては、各図に示す交差矢印および方向を示す文字表示に従って、前後、左右および上下を特定する。
【００１７】
図３においてサニタリーユニットは、周囲壁４の右壁および後壁の外面が部屋の壁面に接する状態で、部屋の隅部に設置される。サニタリーユニットの左方には玄関が、また前方には部屋の中心部と窓が、それぞれ位置している。周囲壁４の左壁にユニット躯体１の出入口５が設けられる。
【００１８】
図１においてユニット躯体１の内部は、出入口５に面する共有室７と、共有室７と第１開口８で繋がる化粧室９と、共有室７と第２開口１０で繋がる浴室１１とに、複数枚のパネルで区画される。ユニット躯体１の後部を占める化粧室９の前方左側に共有室７が配置され、共有室７の右側に浴室１１が配置される。揺動自在のドア１２で、第１開口８と第２開口１０のいずれか一方を閉じることができる。共有室７には調理台１４が、化粧室９には洗面台１５と便器１６が、浴室１１には浴槽１７が、それぞれ収容される。洗面台１５の下側に、洗濯機を収容できる洗濯機収容部１８が設けられる（図５参照）。
【００１９】
図２において調理台１４は、共有室７の前部に配置されて、ユニット躯体１の左前側の角部に位置する。調理台１４は、左右寸法が前後寸法より大きく、前後寸法が上下寸法より大きい箱型に形成されて、共有室７の右前端部に設けたベース部２０の上端から、水平方向に片持ち状に連出される。調理台１４の上面には、ベース部２０に近い方から順に、シンク２１とＩＨ調理器２２が左右に並べて配置される。ベース部２０は台形柱状に形成され、左側面が前方から後方へ向かって右側へ傾斜している。ベース部２０の内部には、配管室３へ延びる給水管および排水管が配置される。
【００２０】
図１に示すように、共有室７における調理台１４の後側に、出入口５および第１・第２の開口８・１０に面する共有空間２３が設けられる。この共有空間２３は、調理台１４を使用するユーザーが立つ場所になる他、出入口５から化粧室９あるいは浴室１１へ向かうための通路や、浴室１１を使用する際の脱衣場にもなる。図５に示すように、共有室７の床面（調理台１４の下方および共有空間２３の床面）２５は、部屋の床面Ｆと面一状になっている。配管室３は、部屋の床面Ｆよりも下側に配置される。
【００２１】
図１に示すように、ユニット躯体１の周囲壁４の前壁左側には、調理台１４に面する開口部２８が設けられる。開口部２８は、ユニット躯体１の半分ほどの左右幅寸法と、ユニット躯体１の上下方向の全長にわたる上下幅寸法とを有する矩形状に形成される（図２参照）。開口部２８は、周囲壁４の前壁の外側において左右方向にスライド自在な引戸（開閉体）２９で開閉することができる。引戸２９を右側のスライド限界まで移動させると、開口部２８の全体を開放できる。
【００２２】
開口部２８の左右幅寸法は、調理台１４のそれよりも少し小さく設定してあり、そのため調理台１４の右端部は、開口部２８の右方に位置して、周囲壁４の前壁の内側に隠れた状態となる。この隠れた部分の下側に、調理台１４を支持するベース部２０が配置され、ベース部２０の全体が、周囲壁４の前壁に外側から覆われる。全開放した開口部２８の外側から見ると、調理台１４の下方空間の全体が開放された状態となる（図４参照）。
【００２３】
周囲壁４の左壁前側には、調理台１４に面する副開口部３１が設けられる。副開口部３１は、調理台１４が配置されるユニット躯体１の左前側の角部において、先の開口部２８に連続する。また、周囲壁４の左壁には、副開口部３１の後側に連続して、上述の出入口５が設けられる。副開口部３１および出入口５は、ユニット躯体１の３分の１ほどの前後幅寸法と、ユニット躯体１の上下方向の全長にわたる上下幅寸法とを有する矩形状にそれぞれ形成される（図２参照）。周囲壁４の左壁の外側に、前後方向にスライド自在な内外２枚の引戸（開閉体）３２・３３が設けられて、内側の引戸３２で出入口５を、外側の引戸３３で副開口部３１を、それぞれ開閉することができる。２枚の引戸３２・３３を後側のスライド限界まで移動させると、出入口５および副開口部３１の全体を開放できる。なお、本実施形態において、調理台１４の左端部は、周囲壁４の左壁外面の外郭線の近傍に位置する。
【００２４】
上記各引戸２９・３２・３３は、透明と不透明のいずれであってもよい。透明にすると、引戸２９・３２・３３を閉じたままでも部屋の光を共有室７に取り込むことができ、不透明にすると、急な来客などがあったときに引戸２９・３２・３３を閉じて調理台１４を覆い隠すことができる。
【００２５】
各引戸２９・３２・３３をスライド案内するための構造は、公知技術の中から任意に選択することができるが、例えば、機器室２の外側面にガイドレールを凹設し、ガイドレールに沿って走行するスライダーを、引戸２９・３２・３３の内面上端部に取り付けることができる。左側の内外２枚の引戸３２・３３については、外側の引戸３３の上端位置を内側の引戸３２のそれよりも高くするなどして、外側の引戸３３のスライダーを引戸３２の上方に位置させると、内外の引戸３２・３３をそれぞれ独立に移動させることができる。勿論、一方の移動に連動して他方が移動するように構成してあってもよい。また、引戸２９・３２・３３の厚み方向の振れを規制するために、引戸２９・３２・３３の下端面に突起を形成し、この突起をスライド案内する溝を床面に形成することができる。
【００２６】
図６において機器室２の内部には、３個の換気扇３６と、各換気扇３６から室外へ向かって導出される換気ダクト３７と、各室７・９・１１を照明する３個の照明器具３８と、電気配線とが配置される。換気扇３６は、便器１６、浴槽１７およびＩＨ調理器２２の上方に、それぞれ１個ずつ配置される。照明器具３８は、各室７・９・１１に１個ずつ配置される。より詳しくは、照明器具３８は、洗面台１５の右側上方と、浴槽１７の上方と、シンク２１とＩＨ調理器２２との間の上方とに、それぞれ配置される。図７において配管室３の内部には、洗面台１５、便器１６、浴槽１７およびシンク２１に対して給排水を行うための給水管３９および排水管４０が集約配置される。
【００２７】
以上のように本実施形態では、調理台１４を共有空間２３と開口部２８との間に配置した。また、開口部２８に連続して副開口部３１を設けた。これによれば、共有空間２３で調理台１４を使用するとき、開口部２８および副開口部３１を介してユニット躯体１の外側の光を取り込んで、調理台１４のまわりに明るく開放的な空間を形成できる。開口部２８、副開口部３１および共有空間２３に面する本実施形態の調理台１４は、アイランド型の調理台のようになっている。開口部２８の前方には部屋の中心部と窓があるので、ユーザーは、開口部２８を介して部屋の中のテレビや窓の外の景色を見ながら、調理台１４を使用できる。あるいは、部屋を訪れた友人と向かい合って会話したり、部屋の中の子供やペットなどに気を配りながら、調理台１４を使用できる。
【００２８】
またユーザーは、調理台１４に対する立ち位置を、共有空間２３と開口部２８の外側との２箇所、場合によっては、副開口部３１の外側を含めた３箇所から必要に応じて選択できる。さらに、共有空間２３に一人が立ち、開口部２８の外側にもう一人が立って、二人が調理台１４を挟んで対面しながら調理台１４を使用できる。これにより、例えば調理台１４のシンク２１を二人で同時に使用することが可能となる。従来の、調理台がユニット躯体の外壁面に沿って配置されて、二人が横並びでしか調理台を使用し得ない構成に比べて、調理台１４を効率良く使用できる。
【００２９】
その他、上記実施形態において、開口部２８および副開口部３１は、少なくとも開口部２８等の外側から調理台１４を使用できる程度の大きさを有していればよい。例えば、開口部２８等の下端位置を調理台１４の上面に、上端位置を部屋の床面Ｆから人の身長程度の高さに、それぞれ設定することができる。各開閉体２９・３２・３３は引戸である必要はなく、揺動扉や折戸、あるいは巻き上げ可能なブラインドなどであってもよい。開閉体をアコーディオンカーテンなどで構成して、１つの開閉体で開口部２８、副開口部３１および出入口５を開閉するようにしてもよい。
【符号の説明】
【００３０】
１  ユニット躯体
４  周囲壁
５  出入口
１４  調理台
２３  共有空間
２８  開口部
２９  開閉体（引戸）
３１  副開口部
【図１】
2011074587.tif 000003
【図２】
2011074587.tif 000004
【図３】
2011074587.tif 000005
【図４】
2011074587.tif 000006
【図５】
2011074587.tif 000007
【図６】
2011074587.tif 000008
【図７】
2011074587.tif 000009